(57)【要約】【課題】コールド状態からの起動でも安定で精度の高い温度補償ができ、しかも周囲温度変化の影響を受けずに安定した特性が得られるようにする。【解決手段】予め発熱素子及び温度による特性変化の大きい素子毎に温度と特性補償量との関係を示すルックアップテーブル２１，２２を作成しておき、個々の素子近傍に配置した温度センサ１９，２０によって逐次モニタし、該当する補償量をルックアップテーブル２１，２２から読み出し、主増幅回路１２、歪信号増幅回路１７それぞれの利得、位相変動を補償することにより、フィード・フォワード歪補償回路が安定動作する。補償量を合算して主増幅回路１２の歪成分を補償するための補償信号に乗じることにより、温度に伴う特性変化を主増幅回路１２の非直線性に対する歪補償と同時に補償する。【選択図】    図１
2007082016.tif 000002
【特許請求の範囲】
【請求項１】
電子機器内の発熱素子について予め温度特性と補償量の関係が保存されるルックアップテーブルと、
前記発熱素子の近傍に配置される温度センサと、
前記温度センサの検出温度に基づいて前記ルックアップテーブルから対応する補償量を読み出して、前記発熱素子の入力信号又は出力信号に対応する補償量を加える補償処理手段と
を具備することを特徴とする電子機器の温度補償装置。
【請求項２】
前記補償処理手段は、前記補償量に基づいて前記入力信号又は出力信号の振幅及び位相を制御することを特徴とする請求項１記載の電子機器の温度補償装置。
【請求項３】
電子機器内の発熱素子について予め温度特性と補償量との関係をルックアップテーブルに保存しておき、
前記発熱素子の近傍に温度センサを配置し、
前記温度センサの検出温度に基づいて前記ルックアップテーブルから対応する補償量を読み出し、
前記発熱素子の入力信号又は出力信号に対応する補償量を加えることを特徴とする電子機器の温度補償方法。
【発明の詳細な説明】
【技術分野】
【０００１】
本発明は、例えば放送用送信機の電力増幅器等の電子機器に用いられ、主要素子の温度によって変動する特性を補償するための温度補償装置及び温度補償方法に関する。
【背景技術】
【０００２】
従来の放送用送信機における電力増幅器にあっては、増幅素子自身が発熱してその特性が急激に変化するため、温度センサを用いて増幅素子の温度変化に伴う温度補償を行っている。但し、回路全体でひとつの温度センサを使用するのみであるため、電力増幅器をコールド状態で電源ＯＮにて起動した場合、増幅素子自身の温度変化に回路全体の温度変化が追従せず、両者の温度が平衡状態になるまで過不足な温度補償が行なわれ、均一な温度補償ができていない。また、電力増幅器全体の温度が平衡状態になった状態でも、増幅素子の場所によっては温度センサの配置位置との間で温度差が発生して適切な温度補償値が掛けられず、温度補償の精度低下が生じている。
【０００３】
尚、発熱部品の近傍に温度センサを設け、異常高温時を検出してファンを駆動制御する構成が特許文献１に記載されている。この構成では、事細かな温度管理は不可能であり、精度の高に温度補償は実現できない。
【特許文献１】特開平０８−０６３２３７号公報
【発明の開示】
【発明が解決しようとする課題】
【０００４】
以上のように、従来の電力増幅器等の電子機器では、状態によっては温度安定度が不安定で精度が低く、事細かな温度管理ができず、精度の高い温度補償ができていなかった。
【０００５】
本発明は上記の事情を考慮してなされたもので、電子機器に対し、コールド状態からの起動でも安定で精度の高い温度補償ができ、しかも周囲温度変化の影響を受けずに安定した特性が得られる電子機器の温度補償装置及び温度補償方法を提供することを目的とする。
【課題を解決するための手段】
【０００６】
上記の目的を達成するために、本発明に係る電子機器の温度補償装置は、電子機器内の発熱素子について予め温度特性と補償量の関係が保存されるルックアップテーブルと、前記発熱素子の近傍に配置される温度センサと、前記温度センサの検出温度に基づいて前記ルックアップテーブルから対応する補償量を読み出して、前記発熱素子の入力信号又は出力信号に対応する補償量を加える補償処理手段とを具備して構成される。
【０００７】
本発明に係る電子機器の温度補償方法は、電子機器内の発熱素子について予め温度特性と補償量との関係をルックアップテーブルに保存しておき、前記発熱素子の近傍に温度センサを配置し、前記温度センサの検出温度に基づいて前記ルックアップテーブルから対応する補償量を読み出し、前記発熱素子の入力信号又は出力信号に対応する補償量を加えるようにする。
【０００８】
上記温度補償装置及び方法では、回路全体の温度を計測するのではなく、発熱素子及び温度による特性変化の大きい素子の近傍に温度センサを配置してその素子の温度変化を計測し、予め求められた補償量をルックアップテーブルから逐次読み出してその素子の温度特性変化を補償するようにしている。
【発明の効果】
【０００９】
以上のように、本発明によれば、電子機器に対し、コールド状態からの起動でも安定で精度の高い温度補償ができ、しかも周囲温度変化の影響を受けずに安定した特性が得られる電子機器の温度補償装置及び温度補償方法を提供することができる。
【発明を実施するための最良の形態】
【００１０】
以下、本発明の実施の形態について図面を参照して詳細に説明する。
【００１１】
図１は本発明に係る放送用電力増幅器の一実施形態を示す回路図である。図１において、ＲＦ信号は分配器１１により２系統に分配され、一方は主増幅回路１２に供給され、他方は第１遅延回路１３に供給される。主増幅回路１２は、入力された送信ＲＦ信号を電力増幅するもので、その出力は分配器１４で２系統に分配され、一方は第２遅延回路１５に供給され、他方は合成器１６に供給される。
【００１２】
上記第１遅延回路１３は主増幅回路１２の処理に要する時間だけ入力ＲＦ信号を遅延して主増幅回路１２の出力と同期をとるためのもので、その遅延出力は上記合成器１６に供給され、分配器１４で分配された主増幅回路１２の出力と共に合成される。この合成信号は、主増幅回路１２にて入力信号に対する出力信号の歪成分であり、歪信号増幅回路１７にて増幅されて合成器１８に供給される。
【００１３】
上記第２遅延回路１５は、電力増幅信号の分配出力を歪信号増幅回路１７の処理に要する時間だけ遅延して歪信号増幅回路１７の出力と同期をとるためのもので、その遅延出力は上記合成器１８に供給されて歪信号と逆相合成され、この合成により歪成分が打ち消されて出力される。
【００１４】
上記構成において、発熱素子及び温度による特性変化の大きい素子は、主増幅回路１２の内部と歪信号増幅回路１７の内部にある。そこで、それぞれの回路１２，１７の近傍に温度センサ１９，２０を配置し、各回路１２，１７の発熱素子及び温度による特性変化の大きい素子の温度をモニタする。一方、各発熱素子及び温度による特性変化の大きい素子の利得特性及び位相特性の温度による変化を予め温度毎に計測しておき、ルックアップテーブル（以下、ＬＵＴ）２１，２２に温度に対応する補償量として格納しておく。
【００１５】
コールド状態から電源ＯＮ以降の運用時において、図２に示すように、温度センサ１９，２０の検出温度情報を逐次入手し（ステップＳ１１）、ＬＵＴ２１，２２を参照してそれぞれの検出温度に対する利得特性及び位相特性の補償量を読み出す（ステップＳ１２）。そして、それぞれ検出温度における主増幅回路１２、歪信号増幅回路１７それぞれの利得、位相変動を補償する（ステップＳ１３）。
【００１６】
以上のように、本実施形態の構成によれば、予め発熱素子及び温度による特性変化の大きい素子毎に温度と特性補償量との関係を示すルックアップテーブルを作成しておき、個々の発熱素子及び温度による特性変化の大きい素子の近傍に配置した温度センサによって逐次モニタし、該当する補償量をルックアップテーブルから読み出し、主増幅回路１２、歪信号増幅回路１７それぞれの利得、位相変動を補償している。これにより、コールド状態からの起動でも安定で精度の高い温度補償ができ、しかも周囲温度変化の影響を受けずに安定した特性が得られるようになる。
【００１７】
尚、上記実施形態では、放送用電力増幅器の場合について説明したが、本発明はこれに限定されるものではなく、発熱によって特性が変化してしまう電子機器についても同様の処理が可能である。
【００１８】
また、本発明は上記した実施の形態そのままに限定されるものではなく、実施段階ではその要旨を逸脱しない範囲で構成要素を種々変形して具体化することができ、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００１９】
【図１】本発明に係る放送用電力増幅器の一実施形態を示す回路図。
【図２】図１の実施形態において、コールド状態から電源ＯＮ以降の、歪信号増幅回路の処理動作を説明するためのフローチャート。
【符号の説明】
【００２０】
１１…分配器、１２…主増幅回路、１３…第１遅延回路、１４…分配器、１５…第２遅延回路、１６…合成器、１７…歪信号増幅回路、１８…合成器、１９，２０…温度センサ、２１，２２…ルックアップテーブル。
【図１】
2007082016.tif 000003
【図２】
2007082016.tif 000004